(57)【要約】【課題】少ない部品点数で低コストを実現した上で読取装置内へのゴミ侵入を完全に防止でき、且つ、スリットガラスのメンテナンス性を良好なものとする。【解決手段】搬送中の原稿を読取る画像読取手段１６と、搬送された原稿を案内するスリットガラス３６と、スリットガラス３６と隣り合い、搬送されてきた原稿を掬い上げるガイド部材７１と、スリットガラス３６の原稿搬送面以外の面部及び前記ガイド部材７１の原稿搬送面部に接着され、前記スリットガラス３６と前記ガイド部材の間に落下するゴミを受けるゴミ落下防止部材１０１を備えており、ゴミ落下防止部材１０１は、前記スリットガラス３６への接着領域１０１Ａと前記ガイド部材７１への接着領域１０１Ｂの間にスリットガラス及び前記ガイド部材に接着されない非接着領域１０１Ｄを設ける。【選択図】図４
2009296032.tif 000002
【特許請求の範囲】
【請求項１】
搬送中の原稿を読取る画像読取手段と、
搬送された原稿を案内するスリットガラスと、
前記スリットガラスと隣り合い、搬送されてきた原稿を掬い上げるガイド部材と、
前記スリットガラスの原稿搬送面以外の面部及び前記ガイド部材の原稿搬送面部に接着され、前記スリットガラスと前記ガイド部材の間に落下するゴミを受けるゴミ落下防止部材を備えてなり、
前記ゴミ落下防止部材の前記スリットガラスへの接着領域と前記ガイド部材への接着領域の間には、前記スリットガラス及び前記ガイド部材に接着されない非接着領域が配置されていることを特徴とする画像読取装置。
【請求項２】
前記非接着領域の寸法は、前記スリットガラスの板厚寸法より大きいことを特徴とする請求項１記載の画像読取装置。
【請求項３】
前記ガイド部材の前記原稿の搬送方向に直交する幅方向の両端部は、前記読取手段によって原稿の読取りが行われない非読取領域として設定され、
前記ガイド部材の非読取領域には前記スリットガラスを支持するスリットガラス支持部を備えることを特徴とする請求項１又は２記載の画像読取装置。
【請求項４】
前記スリットガラス支持形状部の前記原稿の搬送方向の長さ寸法が、前記スリットガラスの同方向長さ寸法の１／２を超えることを特徴とする請求項３記載の画像読取装置。
【請求項５】
前記ガイド部材の原稿搬送面の原稿搬送方向に直交する方向の両端部にガイド部材の他の部分より盛り上げた突出部を形成したことを特徴とする請求項３又は４記載の画像読取装置。
【請求項６】
前記突出部は、傾斜部を備え、この傾斜部の途中に段差部を設けたことを特徴とする請求項５記載の画像読取装置。
【請求項７】
請求項１乃至６のいずれか記載の画像読取装置を備えることを特徴とする画像形成装置。
【発明の詳細な説明】
【技術分野】
【０００１】
本発明は、画像読取装置及び画像形成装置に係り、特に搬送中の原稿を読取る読取手段と、表面に沿って原稿が搬送されるスリットガラスと、前記スリットガラスと隣り合い搬送されてきた原稿を掬い上げるガイド部材と、を備えた画像読取装置及びこの画像読取装置を備えた画像形成装置に関する。
【背景技術】
【０００２】
上述したシートスルー方式の画像読取装置として以下のものがある。特許文献１には露光ランプ、第１ミラーなどの画像読取手段の上方に配置されたスリットガラスと、このスリットガラスを載置する載置部材と、スリットガラスの近傍で搬送されてきた原稿を掬い上げるガイドとを備えたシートスルー方式の画像読取装置において、スリットガラスに、スリットガラス下面の一縁端から一部突出して載置部材とオーバーラップするよう、長手方向にわたって装着された弾性部材を設け、また、ガイドとスリットガラスを取外し可能とするものが記載されている。
【０００３】
特許文献２には、搬送中の原稿の画像面を停止して読取る画像読取手段と、画像読取り用の開口を有し、前記画像読取手段の上方でスリットガラスを載置する載置部材と、この載置部材の開口全周部を覆うように載置されたスリットガラスと、このスリットガラスと隣り合い、搬送されてきた原稿を掬い上げるガイド部材とを備え、スリットガラス下面の原稿搬送方向下流側の一縁端と載置部材とを両面テープで接着するものが記載されている。
特許文献３には、載置部材とスリットガラスの間にスリットガラス側に屈折する形状の薄型弾性部材を介装することにより、スリットガラスと載置部材の間に隙間が生じるのを防止するものが記載されている。
【０００４】
特許文献４には、読取位置に設けられ、搬送される原稿をガイドするスリットガラスと、読取位置でスリットガラスを介して搬送される原稿の読取りを行う画像読取手段と、スリットガラスを複写機の本体に固定する押えカバー及び原稿ガイドとを備え、スリットガラスは、搬送される原稿と対向する面に防汚用のコーティング層が形成され、押えカバー及び原稿ガイドに対向する面にコーティング層が形成されていないものが記載されている。
【０００５】
特許文献５には、コンタクトガラスを固定部材に固定し、更に固定部材を回転カム、ホームポジションセンサ、等によって副走査方向に往復移動可能に構成し、画像読取り時に原稿を搬送する際、固定部材と共にコンタクトガラスを副走査方向に移動させることにより、読取部とコンタクトガラス１１０の読取位置とを相対的に移動させるものが記載されている。
【特許文献１】特開２００２−３５９７２６公報
【特許文献２】特開２００２−３５４１９１公報
【特許文献３】特開平０９−３０４８４４号公報
【特許文献４】特開２００６−２１１０３１公報
【特許文献５】特開２００１−２７２８２９公報
【発明の開示】
【発明が解決しようとする課題】
【０００６】
上述のように、シートスルー読取方式を採用している画像読取装置及びＡＤＦでは、スリットガラス上を通過した原稿を掬いあげてＡＤＦへ収納するための、ガイド部材を備えていることが一般的である。
【０００７】
このようなガイド部材は、原稿を上方に向け案内するため、スリットガラスの下流側においてガラス面より僅かに低い位置から、上昇する形状とされる必要がある。しかし、スリットガラスとガイド部材の境界部分付近には、紙粉等のゴミが溜まり易く、このゴミが読取装置内部に侵入し、たとえばミラー表面に付着したりすると、画像上にスジとなって現れることとなる。
【０００８】
この問題を解決するため、前記特許文献１のものは、スリットガラスと原稿掬い上げガイドが接する部分の下にガラス載置部材を設け、スリットガラスとガラス載置部材を接着するようにしている。しかし、この例では、スリットガラスとガラス載置部材は接着されているため、そこからのゴミ侵入は防止できるが、原稿掬い上げガイドとの間は完全密閉されていないため、そこからのゴミ侵入を完全に防止することはできない。
【０００９】
また、スリットガラスと原稿掬い上げガイドは機能上必ず必要な部品であるが、ゴミ侵入を防止するためには、その両者が接する部分の下方に別部材を設ける必要があった。低コストを実現するためには、機能上必要な部品のみで構成するのが好ましい。
【００１０】
また、特許文献２のものは、スリットガラス下面から延長したシール部材を、ガラス載置部材と重ねる構成をとっているが、スリットガラスの下に、ガラス載置部材が必要で、部品点数が多くなるという問題がある他、スリットガラスから延長したシール部材の先端側に、装置内部との隙間があり、そこからゴミが侵入する可能性がある。
【００１１】
また、特許文献３のものは、弾性部材でスリットガラスとガラス載置部材の隙間を塞ぐため、完全密閉ができず、ゴミの侵入防止効果に限界があるという問題がある。
【００１２】
そして、特許文献４のものは、スリットガラスとガイド間を粘着部材でつなぐようにしている（同文献図１０参照）が、メンテナンス時にスリットガラスの取り外しが困難になるという問題がある。
【００１３】
また、特許文献５のものは、可撓性部材がスリットガラスに接している（同文献段落番号００５６参照）が、可撓性部材は接着されていないので、ゴミ侵入防止効果に限界がある。
【００１４】
そこで、本発明は、少ない部品点数で低コストを実現した上で読取装置内へのゴミ侵入を完全に防止でき、且つ、スリットガラスのメンテナンス性を良好なものとすることができる画像読取装置及び画像形成装置を提供することを目的とする。
【課題を解決するための手段】
【００１５】
請求項１の発明は、搬送中の原稿を読取る画像読取手段と、搬送された原稿を案内するスリットガラスと、前記スリットガラスと隣り合い、搬送されてきた原稿を掬い上げるガイド部材と、前記スリットガラスの原稿搬送面以外の面部及び前記ガイド部材の原稿搬送面部に接着され、前記スリットガラスと前記ガイド部材の間に落下するゴミを受けるゴミ落下防止部材を備えてなり、前記ゴミ落下防止部材の前記スリットガラスへの接着領域と前記ガイド部材への接着領域の間には、前記スリットガラス及び前記ガイド部材に接着されない非接着領域が配置されている画像読取装置である。
【００１６】
請求項２の発明は、請求項１記載の画像読取装置において、前記非接着領域の寸法は、前記スリットガラスの板厚寸法より大きいことを特徴とする。
【００１７】
請求項３の発明は、請求項１又は２記載の画像読取装置において、前記ガイド部材の前記原稿の搬送方向に直交する幅方向の両端部は、前記読取手段によって原稿の読取りが行われない非読取領域として設定され、前記ガイド部材の非読取領域には前記スリットガラスを支持するスリットガラス支持部を備えることを特徴とする。
【００１８】
請求項４の発明は、請求項３記載の画像読取装置において、前記スリットガラス支持形状部の前記原稿の搬送方向の長さ寸法が、前記スリットガラスの同方向長さ寸法の１／２を超えることを特徴とする。
【００１９】
請求項５の発明は、請求項３又は４記載の画像読取装置において、前記ガイド部材の原稿搬送面の原稿搬送方向に直交する方向の両端部にガイド部材の他の部分より盛り上げた突出部を形成したことを特徴とする。
【００２０】
請求項６の発明は、請求項５記載の画像読取装置において、前記突出部は、傾斜部を備え、この傾斜部の途中に段差部を設けたことを特徴とする。
【００２１】
請求項７の発明は、請求項１乃至６のいずれか記載の画像読取装置を備えることを特徴とする画像形成装置である。
【発明の効果】
【００２２】
本発明によれば、スリットガラスの原稿搬送面以外の面部及び前記ガイド部材の原稿搬送面部に接着され、前記スリットガラスと前記ガイド部材の間に落下するゴミを受けるゴミ落下防止部材が配置されているので、少ない部品点数で低コストを実現した上で読取装置内へのゴミ侵入を完全に防止できると共に、ゴミ落下防止部材の前記スリットガラスへの接着領域と前記ガイド部材への接着領域の間には、前記スリットガラス及び前記ガイド部材に接着されない非接着領域が配置されているので、前記ゴミ落下防止部材の非接着領域を変形させてスリットガラスを移動することができるので、スリットガラスの清掃時のメンテナンス性を良好なものとすることができる。
【発明を実施するための最良の形態】
【００２３】
以下本発明を実施するための最良の形態としての実施例を図面に基づいて説明する。
【実施例】
【００２４】
以下実施例に係る画像形成装置について説明する。まず画像形成装置の全体構成を説明する。図１は画像形成装置の概略構成を示す断面模式図、図２は自動原稿搬送装置の取付け状態を示す画像形成装置上部の斜視図である。
【００２５】
画像形成装置である複写機１１は、記録媒体にトナー像を形成する画像形成手段１２と、この画像形成手段１２によって形成された記録媒体上のトナー像を、その記録媒体に定着する定着装置１３と、画像形成手段１２に記録媒体を給送する記録媒体搬送装置１４と、画像形成手段１２、定着装置１３及び記録媒体搬送装置１４を収容する第１の装置本体１５と、原稿画像を読取る画像読取手段１６と、画像読取手段１６を収容する第２の装置本体１７と、原稿を搬送する開閉体として圧板の機能を有する自動原稿搬送装置１８（ＡＤＦ）とを備えており、図２に示すようにＡＤＦ１８は第２の装置本体１７にヒンジ機構１９を介して第２の装置本体１７に開閉自在に搭載されている。
【００２６】
ＡＤＦは、原稿束を載置可能な原稿載置台２０と、原稿載置台２０に載置された原稿束の上面に当接して原稿束を送り出す当接位置及び原稿束から離隔する離隔位置の間で移動するピックアップローラ２１と、ピックアップローラ２１によって送り出された原稿束から原稿を１枚ずつ分離して読取位置であるスリットガラス３６に向かって搬送する給紙ベルト２２、リバースローラ２３、搬送ローラ対２４からなる原稿搬送手段２５と、読取位置で読取りが終了した原稿を原稿排紙台２６に排紙する搬送ローラ対２７及び排紙ローラ対２８からなる原稿排紙手段２９とを備えている。
【００２７】
また、排紙ローラ対２８は、駆動ローラ２８ａと、駆動ローラ２８ａに摺接する従動ローラ２８ｂ及び従動ローラ２８ｃとを備えており、排紙ローラ対２８の近傍には切換爪３０が設けられている。
【００２８】
切換爪３０は、第１の切換位置と第２の切換位置との間で移動するようになっており、切換爪３０が第１の切換位置に切換えられると、駆動ローラ２８ａ及び従動ローラ２８ｂによって原稿が原稿排紙台２６に排紙されるようになっている。
【００２９】
また、切換爪３０が第２の切換位置に切換えられると、駆動ローラ２８ａ及び従動ローラ２８ｃによって原稿がスイッチバック通路３１に搬送されるようになっている。
スイッチバック通路３１には正逆回転自在なスイッチバックローラ対３２が設けられており、スイッチバック通路３１に搬送される原稿は、スイッチバックローラ対３２によって図１中、右方向に搬送された後、スイッチバックローラ対３２が逆転駆動することにより、再搬送経路を介して搬送ローラ対２４に搬送される。このため、原稿が反転されて読取位置に搬送される。
【００３０】
また、画像読取手段１６は、それ自体周知のように、光学系３４を収容した第２の装置本体１７と、第２の装置本体１７の上部に固定配置されたコンタクトガラス３５及びスリットガラス３６とを備えている。
【００３１】
この画像読取手段１６にあっては、閉じられた原稿や本等からなる原稿をコンタクトガラス３５上に原稿を載置して、その原稿Ｐを自動原稿搬送装置１８によって押圧することにより、原稿を読取ることができる。また、自動原稿搬送装置１８によって自動搬送される原稿はスリットガラス３６の読取位置で読取られるようになっている。即ち、画像読取手段としての光学系３４は、光源３７と第１ミラー３８とを有する第１走行体３９と、第２ミラー４０及び第３ミラー４１を有する第２走行体４２と、結像レンズ４３と、ＣＣＤイメージセンサ４４とを備えており、第１走行体３９及び第２走行体４２は、図１に示した位置から右方に移動し、このとき、光源３７から出射する光によって原稿を照明し、その反射光を第１ミラー３８、第２ミラー４０及び第３ミラー４１の順に反射した後、結像レンズ４３を通してＣＣＤイメージセンサ４４に入射する。このようにして原稿画像がＣＣＤイメージセンサ４４に結像されることにより、原稿の画像が読取られる。
【００３２】
また、自動原稿搬送装置１８によって原稿を読取る場合には、図１中、右方に示す位置に第１走行体３９及び第２走行体４２を固定した状態で上述した手順で走行する原稿を読取る。
【００３３】
また、画像形成手段１２は、ドラム状の感光体からなる第１像担持体４５Ｙ、第２像担持体４５Ｃ、第３像担持体４５Ｍ及び第４像担持体４５ＢＫを備えており、これら第１〜第４像担持体４５Ｙ〜４５ＢＫには、複数の支持ローラに巻き掛けられた無端ベルトからなる中間転写ベルト４６が対向配置されている。
【００３４】
また、第１〜第４像担持体４５Ｙ〜４５ＢＫは、それぞれ図１における時計方向に回転駆動されるようになっており、中間転写ベルト４６は図１中、矢印Ａ方向に回転駆動される。このとき、第１像担持体４５Ｙは、帯電ローラ４７によって所定の極性に帯電される。
【００３５】
また、光書き込みユニット４８からは、上述した原稿の読取り結果に応じた画信号に基づいて光変調されたレーザビームＬが出射されるようになっており、第１像担持体４５Ｙの帯電面にそのレーザビームＬが照射されることによって第１像担持体４５Ｙに静電潜像が形成され、この静電潜像は現像装置４９によってイエロートナー像として可視像化される。
【００３６】
また、一次転写ローラ５０には、転写電圧が印加されることによって、第１像担持体４５Ｙ上に形成されたトナー像が図１中、矢印Ａ方向に回転する中間転写ベルト４６上に一次転写される。トナー像転写後の第１像担持体４５Ｙ上に付着する転写残トナーは、クリーニング装置５２によって除去される。本実施の形態の複写機１１においては、第１像担持体４５Ｙと、その周囲に配設された帯電ローラ４７と、現像装置４９と、クリーニング装置５２とによって一体的なプロセスカートリッジが構成されている。
【００３７】
また、現像装置４９は、粉体状のトナーを収容した現像容器５３を有し、そのトナーによって静電潜像が可視像化される。また、現像容器５３内のトナー量が減少したとき、トナーボトル５４Ｙから現像容器５３にトナーが補給される。
【００３８】
一方、クリーニング装置５２は、第１像担持体４５Ｙから除去されたトナーを受け入れるクリーニング容器５５を備えており、クリーニング容器５５内のトナーは、トナー搬送装置によって、図示していない廃トナー容器に搬送される。このように、現像容器５３、トナーボトル５４Ｙ、クリーニング容器５５及び廃トナー容器にはトナーが収容されている。
【００３９】
また、上述した動作と同様にして、第２像担持体４５Ｃ、第３像担持体４５Ｍ及び第４像担持体４５ＢＫ上にシアントナー像、マゼンタトナー像及びブラックトナー像がそれぞれ形成され、これらのトナー像がイエロートナー像の転写された中間転写ベルト４６上に順次重ねて一次転写される。
【００４０】
これらの第２像担持体４５Ｃ、第３像担持体４５Ｍ、第４像担持体４５ＢＫにトナー像を形成する現像装置の現像容器内のトナー量が減少したときも、各トナーボトル５４Ｃ、５４Ｍ、５４ＢＫから、その各現像容器にトナーが補給される。
【００４１】
このようにして、中間転写ベルト４６上に転写された重ねトナー像は、二次転写ローラ５６の作用によって記録媒体に二次転写され、その転写後の中間転写ベルト４６上に付着する転写残トナーは、ベルト用のクリーニング装置５２により除去される。このクリーニング装置５２のクリーニング容器５５にもトナーが収容され、そのトナーは図示していない廃トナー容器に搬送される。
【００４２】
また、記録媒体搬送装置１４は中間転写ベルト４６の下方に配置されており、この記録媒体搬送装置１４は、転写紙又は樹脂シート等からなる記録媒体Ｓを収容した給紙カセット５７と、最上位の記録媒体Ｓに接触する給紙ローラ５８と、レジストローラ対５９とを有し、給紙ローラ５８の回転によって最上位の記録媒体Ｓが図１中、矢印Ｂ方向に送り出される。送り出された記録媒体Ｓは、レジストローラ対５９の回転によって、所定のタイミングで中間転写ベルト４６と、中間転写ベルト４６に対向配置された二次転写ローラ５６との間に給送される。
【００４３】
この記録媒体Ｓが中間転写ベルト４６と二次転写ローラ５６との間を通過するとき、二次転写ローラ５６には転写電圧が印加されることによって中間転写ベルト４６上の重ねトナー像が記録媒体に二次転写される。このようにして、画像形成手段１２により、記録媒体上にトナー像が形成されるのである。
【００４４】
また、トナー像が形成された記録媒体は定着装置１３を通過し、このとき画像形成手段１２によって形成された記録媒体上のトナー像がその記録媒体に定着される。また、定着装置１３によって画像が定着された記録媒体Ｓは排紙ローラ対６０によって記録媒体排紙台６１上に排紙される。
【００４５】
この記録媒体排紙台６１は、画像形成手段１２を収納する第１の装置本体１５と画像読取手段１６を収納する第２の装置本体１７の間に形成されており、本実施の形態では、排紙ローラ対６０による記録媒体Ｓの排紙方向下流側の第１の装置本体１５及び第２の装置本体１７の間が開放される胴内排紙型の複写機１１となっている。
また、排紙ローラ対６０の上流側には切換レバー６２が設けられており、この切換レバー６２は記録媒体の表面の複写が終了したときに、記録媒体Ｓの裏面に複写を行うときに、反転通路６３側に切換えられるようになっている。
【００４６】
即ち、記録媒体Ｓの後端が排紙ローラ対６０に挟持されると、排紙ローラ対６０が逆転駆動するとともに、切換レバー６２が反転通路６３に連通する位置に切換えられ、記録媒体Ｓが反転通路６３に向かって搬送される。
【００４７】
この反転通路６３には反転ローラ対６４が設けられており、この反転ローラ対６４によって反転通路６３を搬送される記録媒体は、二次転写ローラ５６側に搬送される。
一方、スリットガラス３６上には反射ガイド板６５が設けられており、この反射ガイド板６５は光源３７からの光を反射するようになっている。
【００４８】
また、コンタクトガラス３５とスリットガラス３６の間には図３に示すようなガイド部材７１が設けられており、このガイド部材７１は、スリットガラス３６を通過した原稿を掬い上げて搬送ローラ対２７に向かって案内するようになっている。
【００４９】
次に実施例に係る原稿読取装置について説明する。図３は第１の実施例に係る原稿搬送装置のスリットガラスとガイド部材とを示すものであり、（ａ）は分解状態を示す断面図、（ｂ）は組み立て状態を示す断面図、図４は図３に示した原稿読取装置を示すものであり、（ａ）は原稿読取時における断面図、（ｂ）はメンテナンス時における断面図である。本実施例では、スリットガラス３６とガイド部材７１が隣り合って配置される。本例では、図中原稿は左から右方向へ搬送され、ガイド部材７１によって掬い上げられ、原稿排紙台２６上に排紙される。
【００５０】
ガイド部材７１の掬い上げ用斜面の開始部分はスリットガラス３６の表面よりも低い位置に配置される。これにより、原稿はガイド部材７１上をスムーズに移動することができる。本実施例では、スリットガラス３６とガイド部材７１との間には、ゴミ落下防止部材１０１が配置されている。このゴミ落下防止部材１０１は可撓性を持つ材質で構成されており、ゴミ落下防止部材１０１は、その原稿移動方向の上流側の接着領域１０１Ａにおいてスリットガラス３６に接着され、また、原稿移動方向の下流側の接着領域１０１Ｂにおいてガイド部材７１に接着されている。また、ゴミ落下防止部材１０１の両接着領域１０１Ａ，１０１Ｂの間には、スリットガラス３６とガイド部材７１のどちらにも接着されない非接着領域１０１Ｃが設定されている。
【００５１】
即ち、ゴミ落下防止部材１０１は、非接着領域１０１Ｃを挟んで接着領域１０１Ａでスリットガラス３６の原稿搬送面と反対側に接着されており、接着領域１０１Ｂ部分がガイド部材７１の原稿搬送面に接着されている。なお、ゴミ落下防止部材１０１接着は接着剤、両面テープ等適宜選択される。
【００５２】
本例によれば、原稿が繰り返し搬送されるうちに、紙粉等のゴミが、スリットガラス３６とガイド部材７１の間の窪み部分に溜まるが、そのゴミはゴミ落下防止部材１０１によって確保され、装置内部への落下が防止される。本例では、スリットガラス３６、ゴミ落下防止部材１０１、ガイド部材７１だけでガラス支持部材等を持たないシンプル且つ低コストな構成でゴミの読取装置内への進入を確実に防止することができる。
【００５３】
また、本例では、スリットガラス３６のメンテナンス性を良好なものとできる。即ち、本例では、図４（ａ）に示す原稿読取時から、スリットガラス３６清掃時等のメンテナンス時には、図４（ｂ）に示すように、スリットガラス３６をゴミ落下防止部材１０１への接着側を支点として回動させてスリットガラス３６の裏側の清掃が可能となる。このとき、ゴミ落下防止部材１０１に非接着領域１０１Ｃを配置しているから、スリットガラス３６の回動時にゴミ落下防止部材１０１は非接着領域１０１Ｃにおいて容易に変形し、スリットガラス３６をガイド部材７１側、即ち原稿搬送上流側を持ち上げることが容易にできる。
【００５４】
次に第２実施例に係る原稿読取装置について説明する。図５は第２実施例に係る原稿読取装置を示すものであり、（ａ）は原稿読取時における断面図、（ｂ）はメンテナンス時における断面図である。本実施例では、ゴミ落下防止部材１０１はスリットガラス３６とガイド部材７１のどちらにも接着されない非接着領域１０１Ｄを備え、この非接着領域１０１Ｄの寸法ｔ２をスリットガラス３６の板厚寸法ｔよりも大きいものとして構成している。このため、図５（ｂ）に示すようにスリットガラス３６を反転させた状態で、スリットガラス３６を回転させてガイド部材７１の上に載置することができ、スリットガラス３６の裏側の清掃が容易になる。
【００５５】
次に第３の実施例に係る原稿搬送装置について説明する。図６は第３実施例に係る原稿読取装置示すものであり、（ａ）はガイド部材の斜視図、（ｂ）は原稿読取装置の断面図である。本例では、ガイド部材７１はそのガイド部材の前記原稿の搬送方向に直交する幅方向の両端部（図中長手方向両端部）は、前記読取手段によって原稿の読取りが行われない非読取領域に設定されに、スリットガラス支持部７１Ａ，７１Ｂが配置されている。スリットガラス支持部７１Ａ，７１Ｂは画像読取り範囲の外側にあるので、原稿画像の読取りには影響を与えない。
【００５６】
ここで、ガイド部材７１は通常ブック原稿用コンタクトガラス３５に接着されていることが多いため、装置のメンテナンス時には、コンタクトガラス３５と同時に取り外される場合が多い。本実施例では、スリットガラス支持部７１Ａ，７１Ｂを備えているため、その場合でもスリットガラス３６が不安定になることがないため、メンテナンス時の操作性が向上する。
【００５７】
図７は第３実施例の変形例に係る原稿読取装置を示す断面図である。この例では、ガイド部材７１のスリットガラス支持部７１Ａ，７１Ｂは、その原稿搬送方向の寸法ｄ１をスリットガラス３６の原稿搬送方向の幅寸法ｄ２の１／２の寸法Ｄ以上となるようにしている。そのためスリットガラス３６はゴミ落下防止部材１０１に接着される前の状態でも、ガイド部材７１の配置に対して安定的に保持されており、組立時の作業性が向上する。
【００５８】
次に第４の実施例に係る原稿搬送装置について説明する。図８は第４実施例に係る原稿読取装置のガイド部材の斜視図である。本実施例では、ガイド部材７１はその原稿搬送面の原稿通過領域外に、原稿搬送面７１Ｊよりも高く形成されたガラス支持部７１Ｅ，７１Ｆを備えている。本例によれば、スリットガラス３６を裏返しにしてガイド部材７１に置いたとき、スリットガラス３６の両端部がガラス支持部７１Ｅ，７１Ｆによって支持されるためそれ以外の部分ではスリットガラス３６の表面はガイド部材７１と接触せず、スリットガラス３６表面が汚れたり傷ついたりすることが防止できる。
【００５９】
次に第５実施例に係る原稿搬送装置について説明する。図９は第３実施例に係る原稿読取装置示すものであり、（ａ）はガイド部材の斜視図、（ｂ）は原稿読取装置の断面図である。本実施例では、ガイド部材７１はその原稿搬送面の原稿通過領域外に、原稿搬送面よりも高いガラス支持部７１Ｅ，７１Ｆを備え、更に傾斜面の下側に突起部７１Ｇ，  ７１Ｈを備えている。スリットガラス３６を裏返しにしてガイド部材７１に置いた場合、本実施例では、スリットガラス３６の両端部がガラス支持部７１Ｅ，７１Ｆによって支持されるためそれ以外の部分ではガラスの表面はガイド部材７１と接触せず、更に突起部７１Ｇ，７１Ｈによって、スリットガラス３６がガイド部材７１の斜面に沿ってすべり落ちるのを防止される。そのため更にメンテナンス時の作業性を向上させることができる。
【図面の簡単な説明】
【００６０】
【図１】画像形成装置の概略構成を示す断面模式図である
【図２】自動原稿搬送装置の取付け状態を示す画像形成装置上部の斜視図である。
【図３】第１の実施例に係る原稿搬送装置のスリットガラスとガイド部材とを示すものであり、（ａ）は分解状態を示す断面図、（ｂ）は組み立て状態を示す断面図である。
【図４】図４は原稿読取装置を示すものであり、（ａ）は原稿読取時における断面図、（ｂ）はメンテナンス時における断面図である。
【図５】第２実施例に係る原稿読取装置を示すものであり、（ａ）は原稿読取時における断面図、（ｂ）はメンテナンス時における断面図である。
【図６】第３実施例に係る原稿読取装置示すものであり、（ａ）はガイド部材の斜視図、（ｂ）は原稿読取装置の断面図である。
【図７】第３実施例の変形例に係る原稿読取装置を示す断面図である。
【図８】第４実施例に係る原稿読取装置のガイド部材の斜視図である。
【図９】図９は第３実施例に係る原稿読取装置示すものであり、（ａ）はガイド部材の斜視図、（ｂ）は原稿読取装置の断面図である。
【符号の説明】
【００６１】
１１  複写機
１２  画像形成手段
１３  定着装置
１４  記録媒体搬送装置
１５  第１の装置本体
１６  画像読取手段
１７  第２の装置本体
１８  自動原稿搬送装置
１９  ヒンジ機構
２０  原稿載置台
２１  ピックアップローラ
２２  給紙ベルト
２３  リバースローラ
２４  搬送ローラ対
２５  原稿搬送手段
２６  原稿排紙台
２７  搬送ローラ対
２８  排紙ローラ対
２８ａ  駆動ローラ
２８ｂ  従動ローラ
２８ｃ  従動ローラ
２９  原稿排紙手段
３０  切換爪
３１  スイッチバック通路
３２  スイッチバックローラ対
３４  光学系
３５  コンタクトガラス
３６  スリットガラス
３７  光源
３８  第１ミラー
３９  第１走行体
４０  第２ミラー
４１  第３ミラー
４２  第２走行体
４３  結像レンズ
４４  ＣＣＤイメージセンサ
４５ＢＫ  第４像担持体
４５Ｃ  第２像担持体
４５Ｍ  第３像担持体
４５Ｙ  第１像担持体
４６  中間転写ベルト
４７  帯電ローラ
４８  ユニット
４９  現像装置
５０  一次転写ローラ
５２  クリーニング装置
５３  現像容器
５４Ｃ、５４Ｍ、５４ＢＫ  トナーボトル
５４Ｙ  トナーボトル
５５  クリーニング容器
５６  二次転写ローラ
５７  給紙カセット
５８  給紙ローラ
５９  レジストローラ対
６０  排紙ローラ対
６１  記録媒体排紙台
６２  切換レバー
６３  反転通路
６４  反転ローラ対
６５  反射ガイド板
７１  ガイド部材
７１Ａ，７１Ｂ  スリットガラス支持部
７１Ｅ，７１Ｆ  ガラス支持部
７１Ｇ，  ７１Ｈ  突起部
７１Ｊ  原稿搬送面
１０１  ゴミ落下防止部材
１０１Ａ  接着領域
１０１Ｂ  接着領域
１０１Ｃ  非接着領域
１０１Ｄ  非接着領域
１１０  コンタクトガラス
【図１】
2009296032.tif 000003
【図２】
2009296032.tif 000004
【図３】
2009296032.tif 000005
【図４】
2009296032.tif 000006
【図５】
2009296032.tif 000007
【図６】
2009296032.tif 000008
【図７】
2009296032.tif 000009
【図８】
2009296032.tif 000010
【図９】
2009296032.tif 000011